(57)【特許請求の範囲】
【請求項１】
性器の取り出しおよび取り入れを行うための出入部を有する簡便に小用を足すことができる男性用下着において、
前記出入部には、性器を取り出すための開放状態および性器を隠すための閉鎖状態が把持部の操作により変更される開閉部が設けられていること、
前記閉鎖状態のときに前記把持部が前記開閉部の下端に位置すること、
ファスナを含めて前記開閉部が構成されていること、
前記ファスナのスライダが前記把持部として設けられていること
を特徴とする簡便に小用を足すことができる男性用下着。
【請求項２】
請求項１に記載の簡便に小用を足すことができる男性用下着において、
前記出入部には、性器を取り出すための開放状態および性器を隠すための閉鎖状態が重ね合わせられた生地の操作により変更される窓部が設けられていること、
この窓部が前記開閉部よりも下方に設けられていること
を特徴とする簡便に小用を足すことができる男性用下着。
【請求項３】
請求項２に記載の簡便に小用を足すことができる男性用下着において、
前記窓部の上部が前記開閉部の裏側に位置するように前記窓部および前記開閉部が重ね合わせられていること
を特徴とする簡便に小用を足すことができる男性用下着。
【請求項４】
請求項３に記載の簡便に小用を足すことができる男性用下着において、
緊締力の強い経編生地に前記ファスナが縫い付けられて前記開閉部が構成されていること、
緊締力の強いパワーネットが重ね合わせられて前記窓部が構成されていること
を特徴とする簡便に小用を足すことができる男性用下着。
【請求項５】
請求項１〜４のいずれか一項に記載の簡便に小用を足すことができる男性用下着において、
当該男性用下着の上端から性器に対応する部位までにわたり前記出入部が設けられていること、
前記把持部が前記出入部の下端から上端に向けて移動することにより前記開閉部が開放されること
を特徴とする簡便に小用を足すことができる男性用下着。
【請求項６】
請求項１〜５のいずれか一項に記載の簡便に小用を足すことができる男性用下着において、
当該下着の上端から所定部分までにおいて生地同士を接続および離間するための接続離間部が設けられていること
を特徴とする簡便に小用を足すことができる男性用下着。
【請求項７】
請求項６に記載の簡便に小用を足すことができる男性用下着において、
前記閉鎖状態のときに前記開閉部の下端に位置する前記把持部を下側把持部として、
前記開閉部には、前記閉鎖状態のときに前記開閉部の上端に位置する上側把持部が設けられていること、
前記下側把持部が前記開閉部の下端から上端までにわたり移動できること、
前記上側把持部が前記開閉部の上端から下端までにわたり移動できること、
前記開閉部が前記接続離間部に相当すること
を特徴とする簡便に小用を足すことができる男性用下着。
【請求項８】
請求項１〜７のいずれか一項に記載の簡便に小用を足すことができる男性用下着において、
ガードルとして構成されていること
を特徴とする簡便に小用を足すことができる男性用下着。
【請求項９】
性器の取り出しおよび取り入れを行うための出入部を有する簡便に小用を足すことができる男性用下着において、
前記出入部には、性器を取り出すための開放状態および性器を隠すための閉鎖状態が把持部の操作により変更される開閉部と、性器を取り出すための開放状態および性器を隠すための閉鎖状態が重ね合わせられた生地の操作により変更される窓部とが設けられていること、
前記窓部の上部が前記開閉部の裏側に位置するように前記窓部および前記開閉部が重ね合わせられていること、
前記開閉部が前記閉鎖状態のときに前記把持部が前記開閉部の下端に位置すること、
ファスナを含めて前記開閉部が構成されていること、
前記ファスナのスライダが前記把持部として設けられていること、
当該男性用下着がガードルとして構成されるとともに、その上端がウエストよりも上方に設けられること
を特徴とする簡便に小用を足すことができる男性用下着。
【発明の詳細な説明】
【技術分野】
【０００１】
本発明は、性器の取り出しおよび取り入れを行うための出入部を有する簡便に小用を足すことができる男性用下着に関する。
【背景技術】
【０００２】
上記男性用下着として、特許文献１に記載のコルセットが知られている。
このコルセットには、小用をたしやすくするため、性器およびその周辺部分に対応する部位を開閉するファスナが設けられている。ファスナのスライダが上端にあるときには、出入部（切裂き部２）が閉鎖状態に維持される。このコルセットを着衣したユーザは、ファスナのスライダを上方から下方へ移動させることにより、出入部を開放することができる。
【先行技術文献】
【特許文献】
【０００３】
【特許文献１】実開昭５９−６１２０７号公報
【発明の概要】
【発明が解決しようとする課題】
【０００４】
上記コルセットにおいては、出入部が閉鎖状態のときにファスナのスライダが開閉部の上端に位置するため、ユーザは小用を足すためにズボンのファスナを上方から下方に下ろした後、ファスナを開いた手を上方に移動させてコルセットのファスナを開く必要がある。このため、速やかに小用を足すという点において改善の余地が残されている。
【０００５】
本発明はこのような実情に鑑みてなされたものであり、その目的は、速やかに小用を足すことのできる簡便に小用を足すことができる男性用下着を提供することにある。
【課題を解決するための手段】
【０００６】
以下、上記目的を達成するための手段およびその作用効果について記載する。
（１）請求項１に記載の発明は、性器の取り出しおよび取り入れを行うための出入部を有する簡便に小用を足すことができる男性用下着において、前記出入部には、性器を取り出すための開放状態および性器を隠すための閉鎖状態が把持部の操作により変更される開閉部が設けられていること、前記閉鎖状態のときに前記把持部が前記開閉部の下端に位置すること、ファスナを含めて前記開閉部が構成されていること、前記ファスナのスライダが前記把持部として設けられていることを要旨としている。
【０００７】
この発明によれば、閉鎖状態のときに把持部が開閉部の下端に位置するため、ユーザは小用を足すためにズボンのファスナを上方から下方に下ろしたとき、ファスナを開いた手の近くにある把持部を下方から上方へ移動させることにより開閉部を開放することができる。このように本発明によれば、速やかに小用を足すことのできる簡便に小用を足すことができる男性用下着を提供することができる。
【０００９】
開閉部が編み上げ紐を含めて構成される場合には、開閉部を開放状態とするときに開閉部の下端に位置する紐を順にほどく操作が必要となるため、小用を速やかにたすことが難しい。この発明によれば、開閉部がファスナを含めて構成されているため、開閉部が編み上げ紐を含めて構成される場合よりも速やかに小用を足すことができる。
【００１０】
（２）請求項２に記載の発明は、請求項１に記載の簡便に小用を足すことができる男性用下着において、前記出入部には、性器を取り出すための開放状態および性器を隠すための閉鎖状態が重ね合わせられた生地の操作により変更される窓部が設けられていること、この窓部が前記開閉部よりも下方に設けられていることを要旨としている。
【００１１】
性器に対応する部位までにわたり出入部が設けられる場合には、性器を取り出すときにファスナの務歯が性器に接触して、ユーザに不快感を与えることもある。この発明によれば、性器を窓部から取り出すことができるため、性器が務歯に接触することに起因してユーザに不快感を与えるおそれを少なくすることができる。
【００１２】
（３）請求項３に記載の発明は、請求項２に記載の簡便に小用を足すことができる男性用下着において、前記窓部の上部が前記開閉部の裏側に位置するように前記窓部および前記開閉部が重ね合わせられていることを要旨としている。
【００１３】
窓部の開口面積をより大きくすることにより性器を取り出す動作を容易に行うことができる。しかし、開閉部および窓部が互いに重なり合うことなく上下方向に並べられたものにおいて、窓部の開口面積を大きくとると、その分だけ開閉部を上側に設ける必要が生じる。すなわち、開閉部の把持部がより高いところに位置するため開閉部の操作性が低下する。
【００１４】
この発明によれば、開閉部および窓部の上部が互いに重なり合う構造を採用しているため、開閉部の把持部の位置を変更しなくとも、窓部の開口面積を大きくとることができる。従って、開閉部の操作性の低下を抑制しつつ窓部からの性器の取り出し性を高めることができる。
【００１５】
（４）請求項４に記載の発明は、請求項３に記載の簡便に小用を足すことができる男性用下着において、緊締力の強い経編生地に前記ファスナが縫い付けられて前記開閉部が構成されていること、緊締力の強いパワーネットが重ね合わせられて前記窓部が構成されていることを要旨としている。
【００１６】
この発明によれば、ファスナが縫い付けられている経編生地により腹部を押すための力が腹部に加えられるため、腹部の補正効果を期待することができる。また、窓部が緊締力の強いパワーネットにより構成されているため、窓部の上方に開閉部が閉鎖状態のときに同開閉部の下端に位置する把持部が設けられていない場合と比べて、窓部を容易に開放することができる。
【００１７】
（５）請求項５に記載の発明は、請求項１〜４のいずれか一項に記載の簡便に小用を足すことができる男性用下着において、当該男性用下着の上端から性器に対応する部位までにわたり前記出入部が設けられていること、前記把持部が前記出入部の下端から上端に向けて移動することにより前記開閉部が開放されることを要旨としている。
【００１８】
この発明によれば、把持部が出入部の下端から上端まで移動するため、性器に対応する部位から当該下着の上端までを開放することができる。このため、把持部が出入部の下端から上端に向けて移動しないものと比べて、性器をより容易に取り出すことができる。
【００１９】
（６）請求項６に記載の発明は、請求項１〜５のいずれか一項に記載の簡便に小用を足すことができる男性用下着において、当該下着の上端から所定部分までにおいて生地同士を接続および離間するための接続離間部が設けられていることを要旨としている。
【００２０】
この発明の男性用下着がユーザに着衣されたとき、上端から所定部分までを接続離間部の操作により離間することにより、同下着の上方を開放することができる。従って、当該下着を容易に着脱することができる。
【００２１】
（７）請求項７に記載の発明は、請求項６に記載の簡便に小用を足すことができる男性用下着において、前記閉鎖状態のときに前記開閉部の下端に位置する前記把持部を下側把持部として、前記開閉部には、前記閉鎖状態のときに前記開閉部の上端に位置する上側把持部が設けられていること、前記下側把持部が前記開閉部の下端から上端までにわたり移動できること、前記上側把持部が前記開閉部の上端から下端までにわたり移動できること、前記開閉部が前記接続離間部に相当することを要旨としている。
【００２２】
この発明では、下側把持部が下端から上端までにわたり移動し、上側把持部が上端から下端までにわたり移動するため、開閉部をより大きく開口することができる。このため、小用を足すときに性器を取り出す動作、および当該下着を着脱するときの動作をより容易に行うことができる。
【００２３】
（８）請求項８に記載の発明は、請求項１〜７のいずれか一項に記載の簡便に小用を足すことができる男性用下着において、ガードルとして構成されていることを要旨としている。
【００２４】
一般にガードルは緊締力の強い生地により構成されるため、出入部を設けたとしても緊締力の強さに起因して性器の取り出しを速やかに行うことが難しい。この発明では、ガードルにおいて開閉部を設けているため、開閉部が設けられていないガードルに比べて性器の取り出しを速やかに行うことができる。
【００２５】
（９）請求項９に記載の発明は、性器の取り出しおよび取り入れを行うための出入部を有する簡便に小用を足すことができる男性用下着において、前記出入部には、性器を取り出すための開放状態および性器を隠すための閉鎖状態が把持部の操作により変更される開閉部と、性器を取り出すための開放状態および性器を隠すための閉鎖状態が重ね合わせられた生地の操作により変更される窓部とが設けられていること、前記窓部の上部が前記開閉部の裏側に位置するように前記窓部および前記開閉部が重ね合わせられていること、前記開閉部が前記閉鎖状態のときに前記把持部が前記開閉部の下端に位置すること、＜tァスナを含めて前記開閉部が構成されていること、前記ファスナのスライダが前記把持部として設けられていること、当該男性用下着がガードルとして構成されるとともに、その上端がウエストよりも上方に設けられることを要旨としている。
【００２６】
男性用下着の上端がウエストよりも上方に設けられている場合には、ユーザが男性用下着の上にズボンを着用したとき、開閉部の上端がズボンの上端のボタンまたはフックよりも上方に位置することもある。この構成において、開閉部が閉鎖状態のときにその上端に位置する把持部のみが設けられているとすると、ユーザはズボンのボタンまたはフックを開いた後に開閉部を開放状態とする必要がある。
【００２７】
この点本発明によれば、出入部には開閉部が閉鎖状態のときにその下端に位置する把持部が設けられているとともに、窓部の上部が開閉部の裏側に位置するように窓部および開閉部が重ね合わせられている。このため、開閉部の上端がズボンの上端のボタンまたはフックよりも上方に位置する場合であっても、ズボンのボタンやフックを開くことなく同把持部を下方から上方に向けて移動させることにより、開閉部を開放状態とすることができる。これにより、男性用下着の全体が緊締力の強い生地により構成される場合にも窓部を容易に開くことができ、ひいては速やかに小用を足すことができる。
【図面の簡単な説明】
【００２８】
【図１】本発明の一実施形態の簡便に小用を足すことができる男性用下着について、その正面構造を示す正面図。
【図２】同実施形態の男性用下着について、その背面構造を示す背面図。
【図３】同実施形態の男性用下着について、同下着を裏返した状態の正面構造を示す正面図。
【図４】同実施形態の男性用下着について、同下着を裏返した状態の背面構造を示す背面図。
【図５】同実施形態の男性用下着について、出入部付近の拡大図。
【図６】同実施形態の男性用下着について、腰部被覆部の拡大構造を示す拡大図。
【図７】本発明のその他の実施形態における男性用下着について、その正面構造を示す正面図。
【図８】本発明のその他の実施形態における男性用下着について、その正面構造を示す正面図。
【図９】本発明のその他の実施形態における男性用下着について、その正面構造を示す正面図。
【図１０】本発明のその他の実施形態における男性用下着について、その正面構造を示す正面図。
【図１１】本発明のその他の実施形態における男性用下着について、その正面構造を示す正面図。
【発明を実施するための形態】
【００２９】
図１〜図６を参照して、本発明の一実施形態について説明する。
本実施形態では、ズボンの下に着衣される男性用のガードルとして本発明の男性用下着を具体化した一例を示している。なお、図１〜図６では、ガードル１を構成する各生地同士の縫い目を実線で、また生地の裏側に縫い付けられた、または生地の裏側に重ね合わせられた別の生地の縫い目を破線で示している。
【００３０】
以降の説明において、「生地の裏側」は各生地において人体と向き合う側を、「生地の表側」は各生地において裏側とは反対側をそれぞれ示すものとする。人体の前後方向において所定の部位よりも前方および後方をそれぞれ「前側」および「後側」とする。また、人体の左右方向において所定の部位よりも右方および左方をそれぞれ「右側」および「左側」とする。また、人体の上下方向において所定の部位よりも上方および下方をそれぞれ「上側」および「下側」とする。また、人体の左右方向において所定部位に対して体軸側を「内側」とし、所定部位に対して体軸側とは反対側を「外側」とする。
【００３１】
ガードル１は、ウエストよりも上方の上腹部の上端から大腿中部の下端までの部位に対応する被服として構成されている。また、下半身の各部位にそれぞれ対応する部位としての以下のものが設けられている。
【００３２】
図１に示されるように、人体前面の各部位にそれぞれ対応する部位として、以下のものが設けられている。
・骨盤を矯正するための部位として、骨盤矯正部１０が設けられている。この骨盤矯正部１０は、人体の左右のそれぞれに設けられて前側から後側に向かう力を骨盤に付与する。
・性器を取り出しやすくするための部位として、出入部２０が設けられている。この出入部２０は、性器およびその付近に設けられる。
・腹部を押圧するための部位として、腹部押圧部５０が設けられている。この腹部押圧部５０は、腹部に対応して設けられて腹部を前側から後側に向けて押圧する。
・歩行時に大腿に負荷を与える部位として、大腿負荷部６０が設けられている。この大腿負荷部６０は、大腿の側面および背面（図２参照）に対応して設けられて歩行時に大腿が引き上げられるときに大腿に負荷を与える。
・腹部の側部に対応する部位として、腹部被覆部８０が設けられている。
・大腿の内側に対応する部位として、大腿被覆部９０が設けられている。
【００３３】
図２に示されるように、人体背面の各部位にそれぞれ対応する部位として、以下のものが設けられている。
・腰部を支持するための部位として、腰部支持部７０が設けられている。この腰部支持部７０は、腰部の左右方向の中央部に対応して設けられて腰部を後側から前側に向けて押圧する。
・腰部の側部に対応する部位として、腰部被覆部１００が設けられている。
・臀部に対応する部位として、臀部被覆部１１０が設けられている。
【００３４】
ガードル１を構成する生地の種類について説明する。
ガードル１は、生地の緊締力が強くかつ通気性に優れた複数のパワーネットと、パワーネットとほぼ同じ緊締力を有する複数の経編生地とが互いに縫い合わせられることにより構成されている。パワーネットおよび経編生地は、一般の下着に用いられる生地よりも緊締力が強く、かつガードル１が着衣されたときに人体を押す力が強い。パワーネットおよび経編生地は、互いにほぼ同じ伸縮性を有する。
【００３５】
図１に示されるように、ガードル１の前面の表側は以下の各生地により構成されている。
・人体の上下方向において上腹部から中腹部までにわたり形成され、かつ人体の前面から背面にまでを覆うように形成され、かつパワーネットにより形成される骨盤矯正部表生地２１１。
・骨盤矯正部表生地２１１と同じ形状に形成され、かつ骨盤矯正部表生地２１１を折り返して重ね合わせて形成され、かつパワーネットにより形成される骨盤矯正部裏生地２１２。
・上腹部から中腹部までにわたり左右方向の中央部を覆うように形成され、かつ経編生地により構成される開閉部表生地２１３。
・性器を覆うように形成され、かつパワーネットにより形成される開口部表側生地２１６。
・開閉部表生地２１３の両隣に設けられ、かつ経編生地により形成される腹部押圧部表生地２１８。
・大腿の側部から背面までを覆うように形成され、かつ経編生地により形成される大腿負荷部表生地２２１。
・大腿の内側を覆うように形成され、かつ経編生地により形成される大腿被覆部生地２２３。
【００３６】
図２に示されるように、ガードル１の背面の表側は以下の各生地により構成されている。
・腰部の左右方向の中央部を覆うように形成され、かつ経編生地により形成される腰部支持部表生地２２４。
・腰部の側部を覆うように腰部支持部表生地２２４および腰部支持部裏生地２２５の両隣に設けられ、かつ経編生地により形成される腰部被覆部表生地２２６。
・臀部の中央部分を覆うように形成され、かつ経編生地により形成される臀部被覆部中央生地２２８。
・臀部の側部を覆うように形成され、かつ経編生地により形成される臀部被覆部側部生地２２９。
【００３７】
図１および図３に示されるように、ガードル１の前面の裏側は以下の各生地により構成されている。
・開閉部表生地２１３の上側半分と同じ形状に形成され、かつ開閉部表生地２１３を折り返して重ね合わせて形成され、かつ経編生地により形成される開閉部上裏生地２１４。
・開閉部表生地２１３の裏側の左右方向の中央部に設けられ、かつパワーネットにより形成される開閉部中央裏生地２１５。
・開口部表側生地２１６の内側に形成され、かつパワーネットにより形成される開口部裏側生地２１７。
・腹部押圧部表生地２１８と同じ形状に形成され、かつ腹部押圧部表生地２１８の裏側に重ね合わされた状態で腹部押圧部表生地２１８に縫い付けられ、かつパワーネットにより形成される腹部押圧部裏生地２１９。
・大腿負荷部表生地２２１と同じ形状に形成され、かつ大腿負荷部表生地２２１の裏側に重ね合わされた状態で大腿負荷部表生地２２１に縫い付けられ、かつパワーネットにより形成される大腿負荷部裏生地２２２。
【００３８】
図２および図４に示されるように、ガードル１の背面の裏側は以下の各生地により構成されている。
・腰部支持部表生地２２４と同じ形状に形成され、かつ腰部支持部表生地２２４を折り返して重ね合わせて形成され、かつ経編生地により形成される腰部支持部裏生地２２５。
・腰部被覆部表生地２２６と同じ形状に形成され、かつ腰部被覆部表生地２２６の裏側に重ね合わされた状態で腰部被覆部表生地２２６に縫い付けられ、かつパワーネットにより形成される腰部被覆部裏生地２２７。
【００３９】
図１〜図４に示されるように、腹部押圧部５０および腹部被覆部８０および腰部被覆部１００のそれぞれの上側の縁は生地が二重に重ね合わせられている。また、開閉部３０の下側の縁は生地が二重に重ね合わせられている。また、開口部表側生地２１６の右側の縁は生地が二重に重ね合わせられている。また、開口部裏側生地２１７の左側の縁は生地が二重に重ね合わせられている。また、大腿負荷部６０の下側の縁は生地が二重に重ね合わせられている。大腿被覆部９０の下側の縁は生地が二重に重ね合わせられている。
【００４０】
前身頃は、開閉部表生地２１３および開閉部上裏生地２１４および開閉部中央裏生地２１５および開口部表側生地２１６および開口部裏側生地２１７および腹部押圧部表生地２１８および腹部押圧部裏生地２１９および前側の大腿負荷部表生地２２１および前側の大腿負荷部裏生地２２２および前側の大腿被覆部生地２２３により形成されている。
【００４１】
後身頃は、腰部支持部表生地２２４および腰部支持部裏生地２２５および腰部被覆部表生地２２６および腰部被覆部裏生地２２７および臀部被覆部中央生地２２８および臀部被覆部側部生地２２９後側の大腿負荷部表生地２２１および後側の大腿負荷部裏生地２２２および後側の大腿被覆部生地２２３により形成されている。
【００４２】
ガードル１の各部位の詳細な構造について説明する。
図１に示されるように、骨盤矯正部１０は、骨盤矯正部表生地２１１と骨盤矯正部裏生地２１２とにより構成されている。すなわち、骨盤矯正部１０は、骨盤矯正部表生地２１１と骨盤矯正部裏生地２１２とが重ね合わされた二重構造を有する。
【００４３】
骨盤矯正部１０は、開閉部表生地２１３と腹部押圧部表生地２１８とが縫い合わせられている部分に縫い付けられる前端部１１と、腰部被覆部表生地２２６に取り付けおよび取り外し可能に設けられる後端部１２とを有する。骨盤矯正部１０の幅は、前端部１１から後端部１２に向かうにつれて次第に小さくなる。骨盤矯正部表生地２１１の上端には、前端部１１から後端部１２までにわたり、左右方向の伸縮性が強いゴム状の生地が縫い付けられている。後端部１２には、腰部被覆部表生地２２６に取り付けるためのフック面ファスナ１３が設けられている。
【００４４】
前端部１１と後端部１２との間の中間部とは反対側の部分には、芯地あるいは硬質樹脂からなる薄い細板状のボーン（以下、「前側ボーン５１」）が設けられている。前側ボーン５１は、表側における開閉部表生地２１３および腹部押圧部表生地２１８および骨盤矯正部表生地２１１および骨盤矯正部裏生地２１２が縫い合わせられる生地（以下、「前側ボーン表生地」）と、裏側における開閉部上裏生地２１４および開口部表側生地２１６および開口部裏側生地２１７および腹部押圧部裏生地２１９が縫い合わせられる生地（以下、「前側ボーン裏生地」）との間に挿入されている。なお、この前側ボーン表生地および前側ボーン裏生地の部分が前身頃と前端部１１との接続部となる。
【００４５】
前側ボーン５１は、上下方向において、ガードル１の上端から鼠径部に対応する部位までにわたり設けられている。これにより、骨盤矯正部１０に前側から後側に向かう力が加えられたときにも、開閉部表生地２１３および開閉部上裏生地２１４および開閉部中央裏生地２１５の一部が骨盤矯正部１０とともに前側から後側に向けて引っ張られることが抑制される。また、鼠径部付近に対応する部位の生地、すなわち性器や膀胱に対応する部位の生地が引っ張られることが抑制される。
【００４６】
出入部２０は、上腹部の上端から性器の上方に対応する部位までにわたり設けられる開閉部３０と、開閉部３０よりも下方に設けられて股に対応する部位までにわたり設けられる窓部４０とにより構成されている。
【００４７】
図５に示されるように、開閉部３０は、開閉部表生地２１３と開閉部上裏生地２１４と開閉部中央裏生地２１５とにより構成されている。すなわち、開閉部３０の略上側半分の部分は、開閉部表生地２１３と開閉部上裏生地２１４とが重ね合わせられた二重構造を有する。開閉部３０には、同開閉部３０を開放状態とするためのファスナ機構３１が設けられている。このファスナ機構３１は、開閉部３０の上端から下端までにわたり設けられたテープ３４と、このテープ３４に植え付けられた務歯３５と、務歯３５を開閉するための上側スライダ３２および下側スライダ３３とにより構成されている。
【００４８】
上側スライダ３２は、開閉部３０の上端から下端までの間で移動して開閉部３０を開放および閉鎖する。上側スライダ３２が下端に位置するとき、開閉部３０の全体が開放される。以下では、この状態を「開放状態」とする。また、上側スライダ３２が上端に位置するとき、開閉部３０の全体が閉鎖される。以下では、この状態を「閉鎖状態」とする。また、上側スライダ３２が上端と下端との間に位置するとき、開閉部３０の一部が開放される。以下では、この状態を「半開状態」とする。
【００４９】
下側スライダ３３は、開閉部３０の下端から上端までの間で移動して開閉部３０を開放および閉鎖する。下側スライダ３３が上端に位置するとき、開閉部３０の全体が開放される。以下では、この状態を「開放状態」とする。また、下側スライダ３３が下端に位置するとき、開閉部３０の全体が閉鎖される。以下では、この状態を「閉鎖状態」とする。また、下側スライダ３３が下端と上端との間に位置するとき、開閉部３０の一部が開放される。以下では、この状態を「半開状態」とする。
【００５０】
このように、上側スライダ３２および下側スライダ３３が開閉部３０の上端から下端までの間の同一の範囲を移動することにより、開閉部３０が開放状態または閉鎖状態または半開状態とされる。
【００５１】
テープ３４の裏側の左右方向のそれぞれの端部には、開閉部中央裏生地２１５が縫い付けられている。開閉部中央裏生地２１５の幅はテープ３４の幅よりも大きく設定されている。開閉部３０が閉鎖状態のときには、開閉部中央裏生地２１５がたわんだ状態となる。開閉部３０が開放状態のときには、開閉部中央裏生地２１５のたわみが延ばされた状態にてテープ３４が離間される。
【００５２】
このように、開閉部３０の裏側にはパワーネットである開閉部中央裏生地２１５が設けられているため、ファスナ機構３１が開放状態のときにも、開閉部表生地２１３と開閉部上裏生地２１４との間が開閉部中央裏生地２１５によりつなげられている。
【００５３】
図３に示されるように、開閉部３０の裏側の上端には、開閉部上裏生地２１４の左右の生地を接続または離間するホック３６が設けられている。このホック３６は、上側スライダ３２が開閉部３０の上端に位置するとき、上側スライダ３２と重なることがないように左右方向において上側スライダ３２が配置されている位置からずらされたところに設けられる。
【００５４】
窓部４０は、開口部表側生地２１６および同開口部表側生地２１６の裏側に配置される開口部裏側生地２１７が重ね合わせられて開口部４１が形成される。窓部４０は、ユーザがガードル１を着衣したとき、性器およびその周辺に余裕ができるように開口部表側生地２１６および開口部裏側生地２１７が立体的な形状となるように裁断および縫製される。
【００５５】
窓部４０と開閉部３０とは、窓部４０の上部が開閉部３０の下部の裏側に位置するように重ね合わせられて配置される。すなわち、開口部４１の上方は開閉部３０により覆われている。
【００５６】
ユーザがガードル１を着衣するときには、上側スライダ３２を下方に向けて移動させることにより、開閉部３０の上方が開放状態となるため、同ガードル１を容易に着脱することができる。また、下側スライダ３３を上方に向けて移動させることにより、開閉部３０の下方が開放状態となるため、窓部４０の開口部４１を開きやすくすることができる。
【００５７】
腹部押圧部５０は、腹部押圧部表生地２１８と腹部押圧部裏生地２１９とにより構成されている。すなわち腹部押圧部５０は、腹部押圧部表生地２１８と腹部押圧部裏生地２１９とが重ね合わされた二重構造を有する。
【００５８】
大腿負荷部６０は、大腿負荷部表生地２２１と大腿負荷部裏生地２２２とにより構成されている。すなわち大腿負荷部６０は、大腿負荷部表生地２２１と大腿負荷部裏生地２２２とが重ね合わされた二重構造を有する。
【００５９】
腰部支持部７０は、腰部支持部表生地２２４と腰部支持部裏生地２２５とにより構成されている。すなわち腰部支持部７０は、腰部支持部表生地２２４と腰部支持部裏生地２２５とが重ね合わされた二重構造を有する。また、腰部支持部７０の左右方向の端部には、芯地あるいは硬質樹脂からなる薄い細板状の後側ボーン７１が設けられている。
【００６０】
後側ボーン７１は、表側における腰部支持部表生地２２４および腰部被覆部表生地２２６が縫い合わせられる生地（以下、「後側ボーン表生地」）と、裏側における腰部支持部裏生地２２５および腰部被覆部裏生地２２７が縫い合わせられる生地（以下、「後側ボーン裏生地」）との間に挿入される。後側ボーン７１は、腰部支持部７０の上端から下端までにわたり設けられている。この後側ボーン７１により、腰椎およびその付近の筋肉群が支持される。
【００６１】
腰部被覆部１００には、フック面ファスナ１３を取り付けおよび取り外しするためのループ面ファスナ１０１が腰部被覆部表生地２２６に設けられている。ループ面ファスナ１０１の左右方向の幅は、フック面ファスナ１３の幅よりも大きい。フック面ファスナ１３がループ面ファスナ１０１に取り付けられたとき、腹部押圧部５０においては、骨盤矯正部表生地２１１および骨盤矯正部裏生地２１２および腹部押圧部表生地２１８および腹部押圧部裏生地２１９が重ね合わせられた４重構造となる。同じく、腹部被覆部８０においては、骨盤矯正部表生地２１１および骨盤矯正部裏生地２１２および臀部被覆部側部生地２２９の上側部分が重ね合わせられた３重構造となる。
【００６２】
すなわち、ユーザが骨盤矯正部１０を前側から後側に引きながらフック面ファスナ１３をループ面ファスナ１０１に取り付けることにより、腹部から人体の側部を介して腰部までにわたり複数枚の緊締力の強い経編生地およびパワーネットが重ね合わせられる。これにより、腹部から人体の側部を介して腰部までにわたり前側から後側に向かう力が付与されて、前傾して閉じた骨盤が開かれて正しい位置に導かれる。このように骨盤が正しい位置に導かれると腰椎の前湾が矯正されて姿勢の改善効果が得られる。
【００６３】
図６を参照して、骨盤矯正部１０を取り付ける位置の調節態様について説明する。
ループ面ファスナ１０１に対するフック面ファスナ１３の取付位置は、ループ面ファスナ１０１の最も外側の位置（以下、「最外位置Ａ」）から最も内側の位置（以下、「最内位置Ｂ」）までの範囲で変更することができる。
【００６４】
骨盤矯正部１０の長さは次のように設定されている。すなわち、ユーザがガードル１を着衣して、フック面ファスナ１３をループ面ファスナ１０１に取付けるとき、骨盤矯正部１０がたわむことなく、かつ引っ張られることがないように設定されている。
【００６５】
フック面ファスナ１３がループ面ファスナ１０１の最外位置Ａに取り付けられる場合には、骨盤矯正部１０が前側から後側に向けて引っ張られる力が小さくなり、前側から後側に向けて骨盤に加えられる力が小さくなる。このようにフック面ファスナ１３の取付位置として最外位置Ａを選択したときには、骨盤矯正部１０により人体の腹部周りに作用する力が小さくなる。これにより、人体の腹部周りを締め付ける力が小さくなるため、腹部の圧迫感が低減される。
【００６６】
フック面ファスナ１３をループ面ファスナ１０１の最内位置Ｂに取り付ける場合には、骨盤矯正部１０が前側から後側に向けて引っ張られる力が大きくなり、前側から後側に向けて骨盤に加えられる力が大きくなる。このようにフック面ファスナ１３の取付位置として最内位置Ｂを選択したときには、前傾した骨盤を矯正する効果をより高めることができる。
【００６７】
すなわち、ループ面ファスナ１０１に対するフック面ファスナ１３の取付位置が変更されることにより、腹部の圧迫感を低減すること、および骨盤を矯正する効果をより高めることができる。
【００６８】
同じく、ループ面ファスナ１０１に対するフック面ファスナ１３の取付位置が変更されることにより、体型に応じて骨盤矯正部１０により骨盤に加えられる力の大きさを変更することができる。
【００６９】
図２および図６に示されるように、フック面ファスナ１３がループ面ファスナ１０１に取付けられたとき、腰部被覆部１００には骨盤矯正部１０のパワーネットの伸縮性により後側から前側に向かう力が加えられる。ループ面ファスナ１０１の裏側には、パワーネットである腰部被覆部裏生地２２７が設けられているため、腰部被覆部１００に加えられる力により同腰部被覆部１００が後側から前側に引っ張られることが抑制される。
【００７０】
図１および図３に示されるように、ガードル１の前面を構成する各生地は以下のように縫い合わせられている。
・開閉部表生地２１３および開閉部上裏生地２１４の外側の縁は、それぞれ表側および裏側の前ボーン生地の内側の縁に縫い合わせられている。
・腹部押圧部表生地２１８および腹部押圧部裏生地２１９の外側の縁は、臀部被覆部側部生地２２９の内側の縁に縫い合わせられている。
・骨盤矯正部表生地２１１および骨盤矯正部裏生地２１２の前側の縁は、前ボーン生地の外側の縁に縫い合わせられている。
・大腿被覆部生地２２３の上側の縁は、窓部４０および開閉部３０の下側の縁に縫い合わせられている。
・大腿負荷部表生地２２１および大腿負荷部裏生地２２２の前面の上側の縁は、腹部押圧部表生地２１８および腹部押圧部裏生地２１９の下側の縁および臀部被覆部側部生地２２９の下側の縁に縫い合わせられている。
・大腿被覆部生地２２３の外側の縁は大腿負荷部表生地２２１および大腿負荷部裏生地２２２の前面の内側の縁に縫い合わせられている。
【００７１】
図２および図４に示されるように、ガードル１の背面を構成する各生地は以下のように縫い合わせられている。
・臀部被覆部側部生地２２９の上側部分の内側の縁は、腰部被覆部表生地２２６および腰部被覆部裏生地２２７の外側の縁に縫い合わせられている。
・大腿負荷部表生地２２１および大腿負荷部裏生地２２２の背面の上側の縁は、それぞれ臀部被覆部中央生地２２８および臀部被覆部側部生地２２９の下側の縁に縫い合わせられている。
・大腿被覆部生地２２３の内側の縁は大腿負荷部表生地２２１および大腿負荷部裏生地２２２の背面の内側の縁に縫い合わせられている。
・腰部支持部表生地２２４の下側の縁は、臀部被覆部中央生地２２８の上側の縁に縫い合わせられている。
・腰部支持部表生地２２４の外側の縁は、腰部被覆部表生地２２６の内側の縁に縫い合わせられている。
・臀部被覆部中央生地２２８の外側の縁は、臀部被覆部側部生地２２９の内側の縁に縫い合わせられている。
【００７２】
本実施形態によれば以下の効果を奏することができる。
（１）ガードル１の前身頃から後身頃までにわたりパワーネットにより構成される骨盤矯正部１０が設けられている。このため、ガードル１がユーザに着衣されたとき、骨盤には人体の前側から後側に向かう力がガードル１により付与される。この力は、閉じた骨盤を開いて伸ばす力として作用するため、骨盤の前傾を効果的に矯正することができる。
【００７３】
（２）ループ面ファスナ１０１に対するフック面ファスナ１３の取付位置をユーザが選択することができる。このため、例えば体型に応じて骨盤矯正部１０により骨盤に加えられる力の大きさを変更することができる。すなわち、使い勝手の良いガードル１を提供することができる。
【００７４】
（３）骨盤矯正部１０は、前端部１１から後端部１２に向かうにつれて骨盤矯正部１０の幅が小さくなる。このため、前端部１１から後端部１２までにわたり幅が一定または前端部１１から後端部１２に向かうにつれて幅が大きくなる構成と比較して、臀部にかかる骨盤矯正部１０の面積が小さくなる。これにより、臀部が骨盤矯正部１０により圧迫されることに起因してユーザが不快感を覚えることを抑制することができる。
【００７５】
（４）ガードル１においては、前端部１１が前身頃に縫い付けられる部分に前側ボーン５１が設けられている。このため、ガードル１がユーザに着衣されたときに生じる力、すなわち前端部１１が開閉部表生地２１３および腹部押圧部表生地２１８および腹部押圧部裏生地２１９を前側から後側に引っ張る力が前側ボーン５１により受けられる。これにより、開閉部３０の生地および腹部押圧部５０の生地を引っ張る力が前側ボーン５１の上下方向の全体にわたり均等に加えられるため、生地の一部分のみが引っ張られることを抑制することができる。
【００７６】
（５）前側ボーン５１が鼠径部に対応する部位またはその付近に対応する部位に設けられている。このため、同部位の生地が前側から後側に引っ張られることが抑制される。このため、生地が引っ張られることに起因して、膀胱や性器が圧迫された感じをユーザに与えるおそれを少なくすることができる。
【００７７】
（６）開閉部３０が閉鎖状態のときに下側スライダ３３が開閉部３０の下端に位置するため、ユーザは小用を足すためにズボンのファスナを上方から下方に下ろしたとき、ファスナを開いた手の近くにある下側スライダ３３を下方から上方へ移動させることにより開閉部３０を開放することができる。従って、速やかに小用を足すことができる。
【００７８】
（７）開閉部３０にファスナ機構３１が設けられている。このため、開閉部３０が編み上げ紐により構成される場合において編み上げ紐をほどく操作を行い開閉部３０を開放状態とするときよりも速やかに小用を足すことができる。
【００７９】
（８）出入部２０には窓部４０が設けられている。このため、性器を窓部４０の開口部４１から取り出すことができ、性器がファスナ機構３１の務歯３５に接触することに起因してユーザに不快感を与えるおそれを少なくすることができる。
【００８０】
（９）ガードル１には、腹部に対応して経編生地により構成される開閉部３０、および性器に対応してパワーネットにより構成される窓部４０が設けられる。これにより、開閉部３０が閉鎖状態とされるときには、腹部を押すための力が腹部に加えられるため、腹部の補正効果を期待することができる。一方、開閉部３０が開放状態とされるときには、開口部４１を容易に開くことができるため、簡便に用を足すことができる。すなわち、腹部の補正と開口部４１の容易な開閉とを両立することができる。
【００８１】
（１０）開閉部３０および窓部４０の上部が互いに重なり合う構造の出入部２０とした。このため、開閉部３０の下側スライダ３３の位置を変更しなくとも、窓部４０の開口面積を大きくとることができる。従って、開閉部３０の操作性の低下を抑制しつつ窓部４０の開口部４１からの性器の取り出し性を高めることができる。
【００８２】
（１１）経編生地の開閉部表生地２１３および開閉部上裏生地２１４により腹部を押すための力が腹部に加えられる。このため、腹部の補正効果を期待することができる。
（１２）窓部４０がパワーネットの開口部表側生地２１６および開口部裏側生地２１７が立体的な形状となるように裁断および縫製されているため、窓部４０が立体的な形状となるように形成されていない場合と比べて、窓部４０の開口部４１を容易に開放することができる。
【００８３】
（１３）下側スライダ３３が開閉部３０の下端から上端までの間を移動することにより、性器の上部に対応する部位からガードル１の上端までの間を開放することができるため、下側スライダ３３が開閉部３０の上端までの間を移動しないものと比べて、性器をより容易に取り出すことができる。ひいては、簡便に小用を足すことできる。
【００８４】
（１４）上側スライダ３２が開閉部３０の上端から下端までの間を移動することにより、ガードル１の上方を開放することができる。従って、ユーザがガードル１を容易に着脱することができる。
【００８５】
（１５）上側スライダ３２および下側スライダ３３が同一の範囲を移動するため、それらが同一の範囲になく、別々の箇所に設けられているときに比べて、より簡単な構成のガードル１とすることもできる。
【００８６】
（１６）ガードル１に開閉部３０を設けているため、開閉部３０が設けられていないガードル１に比べて、開閉部３０が一般の下着よりも緊締力の強い経編生地により構成されているとしても、性器の取り出しを速やかに行うことができる。
【００８７】
（１７）パワーネットである開閉部中央裏生地２１５が開閉部３０の裏側に設けられている。このため、ファスナ機構３１が開放状態とされるときにも、ファスナ機構３１により離間された開閉部表生地２１３の間からユーザの腹部または下着がはみ出すことがない。これにより、下着がファスナ機構３１の各スライダ３２，３３に挟まれて傷つけられる状況を回避することができる。また、ユーザの腹部の皮膚が同各スライダ３２，３３に挟まれて傷つけられる状況を回避することができる。
【００８８】
（１８）開閉部３０の裏側の上端においては、ホック３６が上側スライダ３２と重なることがないように、左右方向における上側スライダ３２の位置とずらして配置される。このため、それらが重なることに起因して、ユーザに腹部における不快感を与えることを回避することができる。
【００８９】
（１９）フック面ファスナ１３をループ面ファスナ１０１に取り付けると、腹部押圧部５０においては、骨盤矯正部表生地２１１および骨盤矯正部裏生地２１２および腹部押圧部表生地２１８および腹部押圧部裏生地２１９が重ね合わせられた４重構造となる。同じく、腹部被覆部８０においては、骨盤矯正部表生地２１１および骨盤矯正部裏生地２１２および臀部被覆部側部生地２２９の上側部分が重ね合わせられた３重構造となる。
【００９０】
すなわち、ユーザが骨盤矯正部１０を前側から後側に引きながらフック面ファスナ１３をループ面ファスナ１０１に取り付けるとき、腹部から人体の側部を介して腰部までにわたり、複数枚の経編生地およびパワーネットが重ね合わせられる。これにより、腹部から人体の側部を介して腰部までにわたり前側から後側に向かう力が付与されて、前傾して閉じた骨盤が開かれて正しい位置に導かれる。このように骨盤が正しい位置に導かれると腰椎の前湾が矯正されて姿勢の改善効果が得られる。
【００９１】
（２０）ループ面ファスナ１０１の裏側には、パワーネットである腰部被覆部裏生地２２７が設けられている。このため、ユーザがガードル１を着衣したとき、フック面ファスナ１３をループ面ファスナ１０１に取り付けると、骨盤矯正部１０のパワーネットの伸縮性により腰部被覆部１００には、後側から前側に向かう力が加えられるときにも、腰部被覆部裏生地２２７により腰部被覆部１００が後側から前側に向けて引っ張られることを抑制することができる。
【００９２】
（２１）臀部被覆部１１０が臀部被覆部中央生地２２８および臀部被覆部側部生地２２９により立体的な形状となるよう形成されているため、臀部のかたちを立体的な美しいものに整えることができる。
【００９３】
（２２）ガードル１の上端がウエストよりも上方の部位に対応するため、すなわち、ハイウエストタイプのガードル１としているため、ガードル１によりウエストよりも上方部分の腹部および腰部が支持されることにより、良い姿勢を保持することができる。
【００９４】
（２３）腹部押圧部５０が経編生地とパワーネットとが重ね合わせられた二重構造を有する。このため、ユーザがガードル１を着衣したとき、腹直筋には同筋肉を腹部側から背中側に向けて押す力が加えられるため、歩行時の姿勢の安定化が図られる。
【００９５】
（２４）大腿負荷部６０が経編生地とパワーネットとが重ね合わせられた二重構造を有する。このため、ユーザがガードル１を着衣して歩行や体操等の運動をするときに下肢を上げる際に大きな力が必要とされる。すなわち大腿に負荷がかかる状況で体操を行うことにより、腹直筋が鍛えられて、姿勢の改善効果が得られる。ひいては、腰痛を軽減することができる。
【００９６】
（２５）腰部支持部７０が経編生地が重ね合わせられた二重構造を有する。このため、ユーザがガードル１を着衣したとき、腰椎およびその付近の筋肉群には同筋肉を背中側から腹部側に向けて押す力が加えられるため、腰椎およびその付近の筋肉群を支えることができる。ひいては、姿勢の改善効果が得られる。
【００９７】
（２６）前側ボーン５１が設けられている。このため、上腹部および中腹部が前側ボーン５１により支えられるため、姿勢の改善効果が得られる。
（２７）後側ボーン７１が設けられている。このため、腰椎およびその付近の筋肉群が後側ボーン７１により支えられるため、姿勢の改善効果が得られる。
【００９８】
（２８）腰部支持部７０の左右方向の端部に後側ボーン７１が設けられている。すなわち、後側ボーン７１が腰椎に重なりにくい位置に設けられるため、後側ボーン７１が腰椎に当たることによる不快感を低減することができる。
【００９９】
（２９）開口部表側生地２１６および開口部裏側生地２１７をそれぞれ通気性のよいパワーネットとした。このため、性器およびその周辺部位が蒸れることを抑制することができる。
【０１００】
（３０）骨盤矯正部表生地２１１および骨盤矯正部裏生地２１２として通気性のよいパワーネットが用いられている。このため、フック面ファスナ１３がループ面ファスナ１０１に取付けられることにより、腹部の前面および側面および腰部に対応する部位が３重または４重構造となるときにも同部位が蒸れることを抑制することができる。
【０１０１】
（３１）腰部被覆部裏生地２２７として通気性のよいパワーネットが用いられている。このため、腰部が蒸れることを抑制することができる。
（３２）ガードル１の上端がウエストよりも上方の部位に設けられている。このため、ユーザがガードル１の上にズボンを着用したときには、開閉部３０の上端がズボンの上端に設けられているボタンまたはフックよりも上方に位置することがある。この場合に上側スライダ３２のみが設けられているとすると、ユーザはズボンのボタンまたはフックを開いた後に開閉部３０を開放状態とする必要がある。
【０１０２】
これに対して本実施形態のガードル１によれば、下側スライダ３３が設けられているため、開閉部３０の上端がズボンの上方に位置する場合にズボンのボタンやフックを操作しなくても下側スライダ３３の操作により開閉部３０を開放状態とすることができる。
【０１０３】
（その他の実施形態）
なお、本発明の実施態様は上記実施形態に限られるものではなく、例えば以下に示すように変更することもできる。また以下の各変形例は、上記実施形態についてのみ適用されるものではなく、異なる変形例同士を互いに組み合わせて実施することもできる。
【０１０４】
・上記実施形態では、図１および図３に示されるように、骨盤矯正部１０を含めてガードル１を構成したが、図７に示されるように、これを省略することもできる。この場合、腹部被覆部８０の部分を腹部押圧部５０とすることもできる。すなわち、腹部を押圧するための生地によりより広く腹部が覆われるため、腹部の補正効果をより高めることができる。
【０１０５】
・上記実施形態では、図１に示されるように、骨盤矯正部１０の前端部１１を前側ボーン表生地に縫い合わせたが、図８に示されるように、同前端部１１を前側ボーン表生地に着脱可能に取り付けることもできる。具体的には、骨盤矯正部１０をガードル１の本体とは各別に構成して、その前端部１１の上下方向にほぼ均等間隔にて雄ホック３０１を設けるとともに、前側ボーン表生地の外側の縁に雄ホック３０１をとめることができる雌ホック３０２を縫い付ける。そして、ユーザが自身の骨盤矯正の要求があるときに雄ホック３０１を雌ホック３０２にとめた後、同骨盤矯正部１０を前側から後側に向けて引っ張った後にフック面ファスナ１３をループ面ファスナ１０１に取り付けることもできる。すなわち、ユーザによる骨盤矯正の要求があるときのみ、骨盤矯正部１０を同ガードル１に取り付けることができるため、使い勝手の良いガードル１とすることができる。
【０１０６】
・上記実施形態では、図２および図６に示されるように、後端部１２にフック面ファスナ１３を設けて、これを腰部被覆部表生地２２６に設けられたループ面ファスナ１０１に取り付けて後端部１２を腰部被覆部表生地２２６に取り付けたが、後端部１２を取り付ける構成はこれに限られない。すなわち、後端部１２に雄ホック３０１を設けるとともに、腰部被覆部表生地２２６に雄ホック３０１の上下方向の長さと同じ長さの雌ホック３０２を設けて、これらを係合することにより後端部１２を取付けることもできる。この場合には、腰部被覆部表生地２２６に左右方向において複数の雌ホック３０２を設けることにより、骨盤矯正部１０により骨盤に加えられる力を変更することができる。
【０１０７】
・上記実施形態では、図１〜図４に示されるように、大腿中部の下端に対応する部位に当該ガードル１の下端を設けたが、ガードル１の下端の位置を変更することもできる。例えば、図９において実線にて示されるように、下腿中部付近にガードル１の下端を設けることもできる。すなわち、ロングタイプのガードルとすることもできる。また、図９において一点鎖線にて示されるように、股部の下方にガードル１の下端を設けることもできる。すなわち、ボクサーブリーフタイプのガードルとすることもできる。
【０１０８】
・上記実施形態では、図１および図３に示されるように、開閉部３０および窓部４０を含めて性器を取出すための出入部２０を構成したが、図１０に示されるように、窓部４０を省略することもできる。この場合には、開閉部３０の下端を股に対応する部位にまで設けることにより、性器に対応する部位の下端に下側スライダ３３が位置するため、同部位を下端から上方に向けて開放状態とすることができるため、速やかに性器を取出すことができる。これにより、速やかに性器を取り出して小用を足すことができる。
【０１０９】
・上記実施形態では、図１および図３に示されるように、出入部２０には、開閉部３０と窓部４０とが重なる部分が設けられている。これに対して、図１１に示されるように、開閉部３０の下端を股に対応する部位にまで設けて性器に対応する部位の下端に下側スライダ３３が位置し、かつこの開閉部３０の下方の内側に窓部４０を設けることもできる。すなわち、開閉部３０が閉鎖状態とされているときには、図１１において一点鎖線にて示されるように、窓部４０は同出入部２０の内側に配置されて表側には露呈しない。一方、開閉部３０が開放状態とされているときには、窓部４０から速やかに性器をとりだすことができる。
【０１１０】
・上記実施形態では、フック面ファスナ１３を着脱するためのループ面ファスナ１０１を腰部被覆部表生地２２６に設けたが、ループ面ファスナ１０１を設ける位置はこれに限られない。例えば、腰部支持部表生地２２４に設けることもできる。この場合には、フック面ファスナ１３を取付ける位置が上記実施形態よりも内側となるため、骨盤矯正部１０により前側から後側に向けて骨盤に加えられる力が大きいものとなる。
【０１１１】
・上記実施形態では、ループ面ファスナ１０１を左右に一対設けたが、これを１つのループ面ファスナ１０１とすることもできる。この場合には、上記実施形態のループ面ファスナ１０１の幅よりも大きい幅とするとともに、体軸にまたがり左右対称となるように配置することが好ましい。
【０１１２】
・上記実施形態では、ファスナ機構３１として、開閉部３０の上端から下端までの間を移動する上側スライダ３２および開閉部３０の下端から上端までの間を移動する下側スライダ３３を設けたが、ファスナ機構３１の構成はこれに限れるものではない。すなわち、上側スライダ３２が開閉部３０の上端から中央部付近までの間を移動するとともに、下側スライダ３３が開閉部３０の下端から中央部付近までの間を移動する構成とすることもできる。すなわち、上側スライダ３２および下側スライダ３３が連続する範囲を移動することのない構成とすることもできる。
【０１１３】
・上記実施形態では、上側スライダ３２を下側スライダ３３と連続する態様でファスナ機構３１に設けたが、上側スライダ３２を設ける箇所はこれに限られない。例えば、人体の側部に対応するガードル１の上端に設けることもできる。
【０１１４】
・上記実施形態では、骨盤矯正部１０の幅を前端部１１から後端部１２に向かうにつれて次第に小さくしたが、骨盤矯正部１０の幅を前端部１１から後端部１２までにわたり一定の幅とすることもできる。
【０１１５】
・上記実施形態では、ウエストよりも上方の上腹部の上端から大腿中部の下端までの丈を有するガードル１としたが、ガードル１の上端を上記実施形態よりも上方に設けることもできる。例えば、胸部（人体背面においては背中）下部まで設けることにより、胸椎の下部を支持する構成とすることもできる。
【０１１６】
・上記実施形態では、パワーネットおよび経編生地の緊締力および伸縮性を互いにほぼ同じものとしたが、これら生地の緊締力および伸縮性を互いに異なるものにすることもできる。すなわち、パワーネットの緊締力を経編生地の緊締力よりも強いものとすることもできる。また、経編生地の緊締力をパワーネットの緊締力よりも強いものとすることもできる。
【０１１７】
・上記実施形態では、前側ボーン５１および後側ボーン７１をそれぞれ開閉部３０の左右方向の端部および腰部支持部７０の左右方向の端部近傍に配置するようにしたが、これらのボーンを設ける位置はこれに限られない。例えば、上記実施形態における前側ボーン５１および後側ボーン７１の位置よりもそれぞれ内側または外側に変更することもできる。
【０１１８】
・上記実施形態では、前側ボーン５１をガードル１の上端から鼠径部に対応する部位までにわたり設けたが、前側ボーン５１の長さはこれに限られない。例えば、前側ボーン５１の下端を鼠径部よりも上方に対応する部位まで設けることもできる。要するに、少なくとも前端部１１の上下方向の長さに対応する長さであればよい。
【０１１９】
・上記実施形態では、骨盤矯正部１０および腹部押圧部５０および大腿負荷部６０および腰部支持部７０および腰部被覆部１００の構造として、それぞれ２枚の生地が重ね合わせられた二重構造を採用したが、それらのうちのいずれか一方を省略することもできる。また、二重構造のものにさらに別の生地を縫い合わせて三重以上の構造とすることもできる。
【０１２０】
・上記実施形態では、ファスナ機構３１として、上側スライダ３２および下側スライダ３３を有する構成としたが、上側スライダ３２を省略することもできる。
・上記実施形態では、開閉部３０を開放するための手段として、ファスナ機構３１を採用するようにしたが、開閉部３０をその下端から上方に向けて開放様態とすることができる機構はこれに限られない。例えば、開閉部３０を開放するための手段として、編み上げ紐などがあげられる。
【０１２１】
・上記実施形態では、大人男性用のガードルに本発明を適用したが、子供男児用とすることもできる。
・上記実施形態では、男性用のガードルに本発明を適用したが、その他の下着についても本発明を適用することができる。本発明を適用することのできる下着の例としては、パンツ、およびすててこ、およびももひきが挙げられる。要するに、性器およびその周辺に対応する部位を含む下着であれば、いずれの下着についても上記実施形態に準じた態様で本発明を適用することができる。
【０１２２】
・上記実施形態では、単一の下肢用被服として本発明の男性用下着を具体化したが、複数の被服を組み合わせたものとして本発明の男性用下着を具体化することもできる。すなわち、ガードルとして具体化した男性用下着をズボンの裏側に縫い付け、これを本発明の男性用下着を具体化した一態様とすることもできる。なお、このような形態で本発明を実施することのできるズボンの例としては、背広ズボン、スラックス、トレーニングパンツ、Ｇパン、モンペ、サロペット、スパッツ、レギンスおよびジャージが挙げられる。
【符号の説明】
【０１２３】
１…ガードル、１０…骨盤矯正部、１１…前端部、１２…後端部、１３…フック面ファスナ、２０…出入部、３０…開閉部（接続離間部）、３１…ファスナ機構（ファスナ）、３２…上側スライダ（上側把持部）、３３…下側スライダ（下側把持部）、３４…テープ、３５…務歯、３６…ホック、４０…窓部、４１…開口部、５０…腹部押圧部、５１…前側ボーン、６０…大腿負荷部、７０…腰部支持部、７１…後側ボーン、８０…腹部被覆部、９０…大腿被覆部、１００…腰部被覆部、１０１…ループ面ファスナ、１１０…臀部被覆部、２１１…骨盤矯正部表生地、２１２…骨盤矯正部裏生地、２１３…開閉部表生地、２１４…開閉部上裏生地、２１５…開閉部中央裏生地、２１６…開口部表側生地、２１７…開口部裏側生地、２１８…腹部押圧部表生地、２１９…腹部押圧部裏生地、２２１…大腿負荷部表生地、２２２…大腿負荷部裏生地、２２３…大腿被覆部生地、２２４…腰部支持部表生地、２２５…腰部支持部裏生地、２２６…腰部被覆部表生地、２２７…腰部被覆部裏生地、２２８…臀部被覆部中央生地、２２９…臀部被覆部側部生地、３０１…雄ホック、３０２…雌ホック。
【要約】
【課題】速やかに小用を足すことのできる簡便に小用を足すことができる男性用下着を提供する。
【解決手段】ガードル１は、性器の取り出しおよび取り入れを行うための出入部２０を有する。そして、出入部２０には、性器を取り出すための開放状態および性器を隠すための閉鎖状態がファスナ機構３１の操作により変更される開閉部３０が設けられている。また、閉鎖状態のときに下側スライダ３３が開閉部３０の下端に位置する。
【選択図】図１【図１】
0004695714.tif 000002
【図２】
0004695714.tif 000003
【図３】
0004695714.tif 000004
【図４】
0004695714.tif 000005
【図５】
0004695714.tif 000006
【図６】
0004695714.tif 000007
【図７】
0004695714.tif 000008
【図８】
0004695714.tif 000009
【図９】
0004695714.tif 000010
【図１０】
0004695714.tif 000011
【図１１】
0004695714.tif 000012